(57)【要約】【課題】自ら発する騒音の逆位相の打ち消し音をトッププレートから発することによりトッププレート全体を騒音打消しスピーカーとすること。【解決手段】マイク２で電磁誘導加熱調理器本体１が発生する騒音を集音し逆位相の振動発振器３で集音した騒音と逆位相の振動を発生し振動子４に伝える、振動子４がトッププレート５全体を振動させ騒音に対する打消し音を発生することにより、トッププレート５の振動領域は通常のスピーカーに比較して大きいので、打消し音をスピーカーにより発生する場合に比べてより広範囲に消音効果を発揮することができる。【選択図】図１
2011175887.tif 000002
【特許請求の範囲】
【請求項１】
製品本体が発する騒音を集音するマイクと、集音した騒音と逆位相の振動の発振器と、前記逆位相の振動をトッププレートに伝達する振動子とを有する電磁誘導加熱調理器。
【請求項２】
マイクは、トッププレートに設けた製品の振動を検知する加速度検知器で構成した、請求項１に記載の電磁誘導加熱調理器。
【請求項３】
振動子は、重心が偏心した回転軸を有するモーターで構成した、請求項１または２に記載の電磁誘導加熱調理器。
【発明の詳細な説明】
【技術分野】
【０００１】
本発明は一般家庭で使用される電磁誘導加熱調理器の騒音を消音する構成に関するものである。
【背景技術】
【０００２】
従来、この種の電磁誘導加熱調理器は製品本体が発生する騒音に応じて音声ガイドや各種報知音を調整する手段とスピーカーを設けている（例えば、特許文献１参照）。
【０００３】
図４は、特許文献１に記載された従来の電磁誘導加熱調理器を示すものである。図４に示すように、音声ガイドや各種報知音を調整する手段とスピーカーから構成されている。
【先行技術文献】
【特許文献】
【０００４】
【特許文献１】特開２００６−１７２９７７号公報
【発明の概要】
【発明が解決しようとする課題】
【０００５】
しかしながら、前記従来の構成では、スピーカーに指向性があり、騒音に抗して音声を十分に良く聞き取れる範囲が限られているという課題を有していた。
【０００６】
本発明は、前記従来の課題を解決するもので、トッププレート全体を騒音打消しスピーカーとすることを可能とした電磁誘導加熱調理器を提供することを目的とする。
【課題を解決するための手段】
【０００７】
前記従来の課題を解決するために、本発明の電磁誘導加熱調理器は、製品本体が発する騒音を集音するマイクと、集音した騒音と逆位相の振動の発振器と、前記逆位相の振動をトッププレートに伝達する振動子とを設けたものである。
【０００８】
これによってトッププレートをスピーカーとして広範囲に騒音の打ち消しを行うことができるようになる。
【発明の効果】
【０００９】
本発明の電磁誘導加熱調理器は、広範囲に騒音の打ち消しを行うようにできる。
【図面の簡単な説明】
【００１０】
【図１】本発明の実施の形態１における電磁誘導加熱調理器の断面図
【図２】本発明の実施の形態２における電磁誘導加熱調理器の断面図
【図３】本発明の実施の形態３における電磁誘導加熱調理器の断面図
【図４】従来の電磁誘導加熱調理器の実施例の全体構成図
【発明を実施するための形態】
【００１１】
第１の発明は電磁誘導加熱調理器本体に、製品本体が発する騒音を集音するマイクと、集音した騒音と逆位相の振動の発振器と、前記逆位相の振動をトッププレートに伝達する振動子とを有し、前記製品本体が発する騒音を前記トッププレート全体から発する打消し音で消音にすることができる。
【００１２】
第２の発明は、マイクはトッププレートに設けた製品の振動を検知する加速度検知器で
構成しており、騒音を振動周波数をより正確に集音して、トッププレート全体から発する打消し音で消音することができる。
【００１３】
第３の発明は、振動子は重心が偏心したモーターで構成しており、安価に消音効果が得られる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における電磁誘導加熱調理器の断面図を示すものである。
【００１６】
図１において、電磁誘導加熱調理器本体１であり、マイク２は電磁誘導加熱調理器本体１が発生する騒音を集音するものであり、逆位相の発振器３は集音した騒音と逆位相の発振器であり、振動子４は逆位相の発振器３によって振動するものであり、トッププレート５は電磁誘導加熱調理器本体１上面に設けられたものであり、トッププレート５に載置された鍋６であり、鍋６内の調理物７である。
【００１７】
以上のように構成された電磁誘導加熱調理器について、以下その動作、作用を説明する。
【００１８】
まず、調理物７を入れた鍋６を電磁誘導加熱調理器本体１のトッププレート５上の磁界を誘起する図示していない加熱コイル上の加熱領域に置いて、電磁誘導加熱方式によって鍋６の加熱を開始すると、誘導加熱調理器本体１と鍋６との間に発生する電磁力に基づく振動による騒音が発生する。また、調理物７が煮沸状態になると煮沸音を騒音として発生する。また、電磁誘導加熱調理器１には内部回路を冷却するための冷却ファン８が構成されており、これが回転するにともなって騒音を発生する。
【００１９】
これらの騒音を集音マイク２で集めて、逆位相振動の発振器３で逆位相の振動を発生させる。これを振動子４に伝えることにより、振動子４がトッププレート５全体を振動させ、騒音に対する逆位相の打ち消し音を発生する。トッププレート５の振動領域は通常のスピーカーに比較して広いので、より広範囲に消音効果を発揮することができる。
【００２０】
（実施の形態２）
図２は、本発明の第２の実施の形態における電磁誘導加熱調理器の断面図を示すものである。
【００２１】
図２において、加速度検知器９は前記トッププレート５に密着して固定された、製品の振動を検知するものであり、電磁誘導加熱調理器本体１が発する騒音の基となる製品の振動を直接検知することができる。
【００２２】
以上のように構成された電磁誘導加熱調理器について、以下その動作、作用を説明する。
【００２３】
加速度検知器９によって検知された振動を利用して、逆位相振動の発振器３で逆位相の振動を発生させて、これを振動子４に伝えることにより、振動子４がトッププレート５全体を振動させ、騒音に対する逆位相の打ち消し音を発生する。トッププレート５の振動領域は通常のスピーカーに比較して広いので、より広範囲に消音効果を発揮することができる。また騒音の基となる振動を直接利用していることにより、より正確な消音効果を得る
ことができる。
【００２４】
（実施の形態３）
図３は、本発明の第３の実施の形態における電磁誘導加熱調理器の断面図を示すものである。
【００２５】
モーター１０は重心が偏心した回転軸を有するモーターであり、トッププレート５に密着して固定されている。モーターの駆動回路１１は、逆位相振動の発振器３で発生された振動に応じてモーターの回転数を制御する。
【００２６】
以上のように構成された電磁誘導加熱調理器について、以下その動作、作用を説明する。
【００２７】
加速度検知器９によって検知された振動を利用して、逆位相振動の発振器３で逆位相の振動を発生させる。この振動をモーター駆動回路１１に伝えて、この振動に応じた回転数でモーター１０を回転させる。モーター１０の回転軸は偏心しているので、モーター１０本体が固定されているトッププレート５は振動し、騒音の打ち消し音を発生する。トッププレート５の振動領域は通常のスピーカーに比較して広いので、より広範囲に消音効果を発揮することができる。重心が偏心した軸を有するモーターは現在では携帯端末のバイブレーターなどで多用されているため、入手が容易で低コストで構成することができる。
【００２８】
以上のように、本実施の形態においては、モーター１０の振動によりトッププレート５を振動させて、騒音に対する打ち消し音を発生させることにより、トッププレート５の振動領域は通常のスピーカーに比較して大きいので、より広範囲に消音効果を発揮することができる。
【産業上の利用可能性】
【００２９】
以上のように、本発明の電磁誘導加熱調理器は騒音を打ち消し音によって消音できるので、家庭用あるいは業務用の誘導加熱調理器に適用できる。
【符号の説明】
【００３０】
１  電磁誘導加熱調理器本体
２  マイク
３  逆位相振動の発振器
４  振動子
５  トッププレート
６  鍋
７  調理物
８  冷却ファン
９  加速度検知器
１０  重心が偏心した回転軸を有するモーター
１１  モーター駆動回路
【図１】
2011175887.tif 000003
【図２】
2011175887.tif 000004
【図３】
2011175887.tif 000005
【図４】
2011175887.tif 000006